(57)【要約】【課題】組立性に優れ一層の小型化が可能なディスク装置およびこれを備えた電子機器を提供する。【解決手段】  ＨＤＤは第１シェル１０ａおよびこの第１シェルと対向して設けられ、第１シェルと共同してケースを構成した第２シェル１０ｂを有している。第１シェルには駆動モータ２２が取り付けられ、この駆動モータにより情報記録媒体２０が支持されている。第２シェルには、ヘッド２４を移動自在に支持しているとともに情報記録媒体に対して移動させるヘッドアクチュエータと、ヘッドアクチュエータに接続された基板ユニットとが取り付けられている。ケースの外面に対向して制御回路基板が設けられ、基板ユニットに接続されている。【選択図】      図３
2005135564.tif 000002
【特許請求の範囲】
【請求項１】
第１シェルおよびこの第１シェルと対向して設けられ、第１シェルと共同してケースを構成した第２シェルと、
前記第１シェルに設けられた駆動モータ、および前記駆動モータにより支持され、この駆動モータによって回転駆動されるディスク状の情報記録媒体と、
前記情報記録媒体に対して情報処理を行うヘッドと、
前記第２シェルに取り付けられ、前記ヘッドを移動自在に支持しているとともに前記ヘッドを前記情報記録媒体に対して移動させるヘッドアクチュエータと、
前記第２シェルに取り付けられ、前記ヘッドアクチュエータに接続された基板ユニットと、
前記ケースの外面に対向して設けられ、前記基板ユニットに接続された制御回路基板と、
を備えたディスク装置。
【請求項２】
前記ケース内に立設され前記第１および第２シェルを支持した複数の支持ポストを備え、各支持ポストは、前記第１および第２シェルの一方の内面に弾性材を介して固定された一端と、他方のシェルに係合した他端とを有している請求項１に記載のディスク装置。
【請求項３】
前記第１および第２シェルは、隙間をおいて互いに対向した周縁部をそれぞれ有し、前記ケースは、前記第１および第２シェルの周縁部を互いに接続しているとともに、前記周縁部間の隙間を閉塞したシール材を備えている請求項１又は２に記載のディスク装置。
【請求項４】
前記駆動モータは、前記第１シェルに立設されているとともに前記第２シェルに固定された延出端を有した枢軸と、前記枢軸に回転自在に支持されたロータと、を備えている請求項１に記載のディスク装置。
【請求項５】
前記ヘッドアクチュエータは、前記第２シェルに立設されているとともに前記第１シェルに固定された延出端を有した軸受部と、前記ヘッドを支持しているとともに前記軸受部に回動自在に支持されたキャリッジと、を備えている請求項１又は４に記載のディスク装置。
【請求項６】
前記ヘッドアクチュエータは、前記キャリッジを回動させるボイルコイルモータを備え、前記ボイスコイルモータは、前記キャリッジに取り付けられたボイスコイルと、前記第２シェルに固定され前記ボイルコイルと対向したヨークおよび磁石と、を有している請求項５に記載のディスク装置。
【請求項７】
前記ケース内で、前記情報記録媒体の中心部と対向して設けられ、前記ヘッドが前記情報記録媒体の中心部に移動した際、前記ヘッドを前記情報記録媒体から離間する位置にアンロードするランプ部材を備えている請求項１ないし６のいずれか１項に記載のディスク装置。
【請求項８】
前記ランプ部材は前記第２シェルに取り付けられている請求項７に記載のディスク装置。
【請求項９】
前記ヘッドアクチュエータは、前記ヘッドを前記情報記録媒体の中心部と外周部との間を移動可能に支持した回動自在なキャリッジを備え、前記ランプ部材は、前記情報記録媒体の中心とキャリッジの中心とを結ぶ線を境界として、前記ヘッドが前記情報記録媒体に対して情報処理する領域の反対側で前記ヘッドを情報記録媒体からアンロードする位置に設けられている請求項７又は８に記載のディスク装置。
【請求項１０】
前記ケースおよび制御回路基板を覆ったカバーを有し、前記制御回路基板は、前記カバーを通して外部に露出した接続端子を有している請求項１ないし９のいずれか１項に記載のディスク装置。
【請求項１１】
前記制御回路基板は、前記第２シェルの外面と対向して配置されている請求項１０に記載のディスク装置。
【請求項１２】
前記制御回路基板は、外面に露出して設けられら接続端子を有している請求項１ないし９のいずれか１項に記載のディスク装置。
【請求項１３】
前記制御回路基板は、外部機器に接続可能なコネクタを有している請求項１ないし９のいずれか１項に記載のディスク装置。
【請求項１４】
前記制御回路基板は、前記第１シェルの外面と対向して設けられている請求項１２又は１３に記載のディスク装置。
【請求項１５】
前記ケースに装着された取り付け補助具を備え、前記取り付け補助具は、前記ケースの外周部に嵌合された枠状の本体と、本体から延出しているとともに取り付け用のねじを挿通可能な透孔を有した複数のブラケットと、を有している請求項１ないし９、および１２ないし１４のいずれか１項に記載のディスク装置。
【請求項１６】
前記制御回路基板から延出しているとともに接続端子を有した接続ケーブルを備え、前記取り付け補助具は、前記接続端子が露出した状態で前記接続ケーブルを支持したケーブル支持部を有している請求項１５に記載のディスク装置。
【請求項１７】
機器本体と、
前記機器本体内に配設された請求項１ないし１６のいずれか１項に記載のディスク装置と、を備えた電子機器。
【請求項１８】
収納部を有した機器本体と、
前記収納部に脱着自在に装着され、前記接続端子を介して前記機器本体に接続された請求項１０に記載のディスク装置と、を備えた電子機器。
【発明の詳細な説明】
【技術分野】
【０００１】
この発明は、記録媒体としてのディスクを有したディスク装置およびこれを備えた電子機器に関する。
【背景技術】
【０００２】
近年、コンピュータの外部記録装置や画像記録装置として磁気ディスク装置、光ディスク装置などのディスク装置が広く用いられている。  
ディスク装置として、例えば、磁気ディスク装置は、一般に、上面の開口した矩形箱状のケースと、複数のねじによりケースにねじ止めされてケースの上面開口を閉塞したトップカバーと、を有している。ケース内には、磁気記録媒体としての磁気ディスク、この磁気ディスクを支持および回転させる駆動手段としてのスピンドルモータ、磁気ディスクに対して情報の書き込み、読み出しを行なう複数の磁気ヘッド、これらの磁気ヘッドを磁気ディスクに対して移動自在に支持したヘッドアクチュエータ、ヘッドアクチュエータを回動および位置決めするボイスコイルモータ、ヘッドＩＣ等を有する基板ユニット等が収納されている。
【０００３】
ケースの底壁外面には、基板ユニットを介してスピンドルモータ、ボイスコイルモータ、および磁気ヘッドの動作を制御するプリント回路基板がねじ止めされている。プリント回路基板の端部には、磁気ディスク装置を他の外部機器に接続するためのインターフェース（Ｉ／Ｆ）コネクタが半田付けされている。
【０００４】
また、磁気ディスク装置として、カード状に薄く形成され、例えばパーソナルコンピュータのカードスロットに装填可能としたものが提供されている（例えば、特許文献１）。このようなカード状の磁気ディスク装置では、従来の磁気ディスク装置に比較して薄型、かつ、小型にする必要があるため、板状のベースに種々の構成要素を実装するとともに、ベースの周縁に沿って支持枠を固定し、更に、この支持枠に板状のトップカバーを取付けている。また、ベースの裏面側にプリント回路基板を設け、プリント回路基板上のＩ／Ｆコネクタは、支持枠に設けられた専用の固定部材により位置決め保持されている。
【特許文献１】特開２００１−２１００５８号公報
【発明の開示】
【発明が解決しようとする課題】
【０００５】
近年では、磁気ディスク装置をより多種の電子機器、特に、より小型の電子機器の記録装置として用いることができるように、磁気ディスク装置の一層の小型化が進められている。しかしながら、磁気ディスク装置を小型にする場合においても、ディスク装置の基本的構成要素を削減することはできず、小型のベース上に充分な設置スペースおよび組立作業スペースを確保を確保することが困難となる。更に、磁気ディスク装置の小型化に伴い、ヘッドアクチュエータ等の各構成要素も小型化され、ベース上に種々の構成要素を組み付ける組立作業も困難となる。
【０００６】
この発明は以上の点に鑑みなされたもので、その目的は、組立性に優れ一層の小型化が可能なディスク装置およびこれを備えた電子機器を提供することにある。
【課題を解決するための手段】
【０００７】
上記目的を達成するため、この発明に係るディスク装置は、第１シェルおよびこの第１シェルと対向して設けられ、第１シェルと共同してケースを構成した第２シェルと、前記第１シェルに設けられた駆動モータ、および前記駆動モータにより支持され、この駆動モータによって回転駆動されるディスク状の情報記録媒体と、前記情報記録媒体に対して情報処理を行うヘッドと、前記第２シェルに取り付けられ、前記ヘッドを移動自在に支持しているとともに前記ヘッドを前記情報記録媒体に対して移動させるヘッドアクチュエータと、前記第２シェルに取り付けられ、前記ヘッドアクチュエータに接続された基板ユニットと、前記ケースの外面に対向して設けられ、前記基板ユニットに接続された制御回路基板と、を備えている。
【０００８】
この発明の他の形態に係る電子機器は、機器本体と、前記機器本体内に配設された請求項１ないし１６のいずれか１項に記載のディスク装置と、を備えている。  
この発明の更に他の形態に係る電子機器は、収納部を有した機器本体と、前記収納部に脱着自在に装着され、前記接続端子を介して前記機器本体に接続された請求項１０に記載のディスク装置と、を備えている。
【発明の効果】
【０００９】
以上詳述したように、この発明によれば、組立性に優れ一層の小型化が可能なディスク装置およびこれを備えた電子機器を提供することができる。
【発明を実施するための最良の形態】
【００１０】
以下図面を参照しながら、この発明をハードディスクドライブ（以下ＨＤＤと称する）に適用した実施形態について詳細に説明する。
【００１１】
図１および図２に示すように、ＨＤＤは形態可能なカード状に形成され、例えば、長さ３２ｍｍ、幅２４ｍｍ、厚さ５ｍｍあるいは３．３ｍｍ程度に形成されている。ＨＤＤは後述する種々の部材が収納されたほぼ矩形箱状のケース１０と、ケース１０の外面に重ねて設けられた制御回路基板１２と、これらのケースおよび制御回路基板を覆ったカバー１４と、を備えている。
【００１２】
図２ないし図５に示すように、ＨＤＤの本体を構成したケース１０は、互いにほぼ等しい寸法に形成された第１シェル１０ａおよび第２シェル１０ｂにより構成されている。第１および第２シェル１０ａ、１０ｂは、それぞれ金属によりほぼ矩形状に形成され、周縁部には側壁が立設されている。第１および第２シェル１０ａ、１０ｂは、その周縁部同士が隙間をおいて対向した状態で、互いに向い合わせて配置されている。第１および第２シェル１０ａ、１０ｂの周縁部には帯状のシール材１６が巻き付けられ、このシール材により周縁部が互いに接続されているとともに、周縁部間の隙間がシールされている。これにより、矩形箱状のケース１０が構成されている。
【００１３】
ケース１０内において、ケースの周縁部には複数の支持ポスト１８が設けられている。各支持ポスト１８は、弾性材、例えばゴム２１を介して第２シェル１０ｂの内面に固定された基端を有し、第２シェルの内面に対してほぼ垂直に立設されている。各支持ポスト１８の延出端は第１シェル１０ｂに係合している。第１および第２シェル１０ａ、１０ｂは、これら複数の支持ポスト１８により支持され、所定の間隔を置いて対向している。
【００１４】
図３ないし図５に示すように、ケース１０内には、情報記録媒体として機能する例えば、０．８５インチの磁気ディスク２０、この磁気ディスクを支持および回転させる駆動モータとしてのスピンドルモータ２２、磁気ディスクに対して情報の書き込み、読み出しを行なう磁気ヘッド２４、磁気ディスク２０に対して磁気ヘッドを移動自在に支持したキャリッジ２６、キャリッジを回動および位置決めするボイスコイルモータ（以下ＶＣＭと称する）２８、磁気ヘッドが磁気ディスクの中心部に移動した際、磁気ヘッドを磁気ディスクから離間した位置にアンロードして保持するランプロード機構３０、キャリッジを退避位置に保持する電磁ラッチ３２、ヘッドＩＣ等を有する基板ユニット３４、およびパック状のエアフィルタ３５が収納されている。
【００１５】
スピンドルモータ２２は、第１シェル１０ａに取り付けられている。スピンドルモータ２２は枢軸３６を有し、この枢軸は第１シェル１０ａの内面に固定され、この内面に対してほぼ垂直に立設されている。枢軸３６の延出端は、第２シェル１０ｂの外側からねじ込まれた固定ねじ３７により第２シェルにねじ止めされている。これにより、枢軸３６は第１および第２シェル１０ａ、１０ｂに両持ち支持されている。
【００１６】
枢軸３６には、軸受４０を介してロータ４２が回転自在に支持されている。ロータ４２の第２シェル１０ｂ側の端部は円柱形状のハブ４３を構成し、このハブには、磁気ディスク２０が同軸的に嵌合されている。ハブ４３の端部には、環状のクランプリング４４が嵌合されて、磁気ディスク２０の円周縁部を保持している。これにより、磁気ディスク２０はロータ４２に固定され、ロータと一体的に回転可能に支持されている。
【００１７】
ロータ４２の第１シェル１０ａ側の端部には環状の永久磁石４６が固定され、ロータ４２と同軸的に位置している。スピンドルモータ２２は、第１シェル１０ａに取り付けられた、およびステータコアに巻回された複数のコイル４８を有し、これらステータコアおよびコイルは、永久磁石４６の外側に隙間を置いて配置されている。第１シェル１０ａには環状のシールド板５０が取り付けられ、コイル４８と磁気ディスク２０との間に配置されている。
【００１８】
ヘッドアクチュエータを構成するキャリッジ２６およびＶＣＭ２８、並びに基板ユニット３４、電磁ラッチ３２、エアフィルタ３５は、第２シェル１０ｂに取り付けられ、第２シェル１０ｂとともにサブアッセンブリ５１を構成している。サブアッセンブリ５１は、スピンドルモータ２２および磁気ディスク２０が実装された第１シェル１０ａに対して分離可能に組み合わされている。
【００１９】
キャリッジ２６は、第２シェル１０ｂの内面上に固定された軸受組立体５２を備えている。軸受組立体５２は、第２シェル１０ｂの内面に対して垂直に立設された枢軸５３と、一対の軸受を介して枢軸５３に回転自在に支持された円筒形状のハブ５４と、を有している。枢軸５３の延出端は、第１シェル１０ａの外側からねじ込まれた固定ねじ５６により第１シェルにねじ止めされている。これにより、枢軸５３は第１および第２シェル１０ａ、１０ｂに両持ち支持されている。
【００２０】
キャリッジ２６は、ハブ５４から延出したアーム５８、アームの先端から延出した細長い板状のサスペンション６０、ハブ５４からアームと反対方向に延出した支持フレーム６２を備えている。サスペンション６０の延出端には、図示しないジンバル部を介して磁気ヘッド２４が支持されている。支持フレーム６２には、ＶＣＭ２８を構成するボイスコイル６４が一体的に固定されている。
【００２１】
キャリッジ２６を軸受組立体５２の回りで回動させるＶＣＭ２８は、第２シェル１０ｂ上に固定されたヨーク６３と、ヨークの内面に固定されボイスコイルに対向した磁石６５、およびボイスコイルを挟んで磁石６５と対向した他のヨーク６６と、を備えている。ボイスコイル６４に通電することにより、キャリッジ２６は、図４に実線で示す退避位置と磁気ディスク２０外周との間で磁気ディスク上を回動し、磁気ヘッド２４は磁気ディスク２０の所望のトラック上に位置決めされる。また、キャリッジ２６は、第２シェル１０ｂに立設されたストッパピン６７により、退避位置を越える過度の回動が規制されている。更に、第２シェル１０ｂに固定された電磁ラッチ３２は、退避位置に移動したキャリッジ２６をラッチし、ＨＤＤが衝撃等の外力を受けた際、キャリッジ２６が退避位置から作動位置へ移動することを防止する。
【００２２】
図３ないし図５に示すように、ランプロード機構３０は、第２シェル１０ｂの内面に固定され磁気ディスク２０の中心部と対向して位置したランプ部材７０と、サスペンション６０の先端から延出し係合部材として機能するタブ７２と、を備えている。ランプ部材７０は板材を折り曲げて形成され、タブ７２が係合可能なランプ面７４を有している。ランプ面７４は、第２シェル１０ｂの内面と隙間を置いてほぼ平行に対向した支持面７４ａと、支持面から第１シェル１０ａ側、つまり、磁気ディスク２０の表面に向かって傾斜して延びた傾斜面７４ｂとを有している。キャリッジ２６が磁気ディスク２０の外周部から磁気ディスク内周の退避位置まで回動すると、タブ７２は、ランプ部材７０の傾斜面７４ｂに係合し、その後、ランプ面の傾斜によって引き上げられ、磁気ヘッド２４のアンロード動作を行う。キャリッジ２６が退避位置まで回動すると、タブ７２はランプ部材７０の支持面７４ａ上に支持され、磁気ヘッド２４は磁気ディスク２０の表面から離間した状態に保持される。
【００２３】
基板ユニット３４は、フレキシブルプリント回路基板により形成された本体３４ａを有し、この本体３４ａは第２シェル１０ｂの内面に固定されている。本体３４ａ上にはヘッドＩＣ、ヘッドアンプ等の電子部品が実装されている。基板ユニット３４は本体３４ａから延出したメインフレキシブルプリント回路基板（以下、メインＦＰＣと称する）３４ｂを有している。メインＦＰＣ３４ｂの延出端は、キャリッジ２６の軸受部５２近傍に接続され、更に、アーム５８およびサスペンション６０上に設けられた図示しないケーブルを介して磁気ヘッド２４に電気的に接続されている。基板ユニット３４の本体底面には制御回路基板１２と接続するためのコネクタ７６が実装されている。コネクタ７６は、第２シェル１０ａに形成された開孔７７を介して第２シェルの外面に露出している。
【００２４】
上記のように構成されたサブアッセンブリ５１を第１シェル１０ａと組み合せケース１０を構成することにより、ＨＤＤの本体が構成されている。組み合せた状態において、磁気ヘッド２４はサスペンション６０のばね力により磁気ディスク２０表面に向かって所定のヘッド荷重が印加されている。
【００２５】
一方、図２に示すように、制御回路基板１２はケース１０とほぼ等しいの平面形状を有し、第２シェル１０ｂの外面と対向して配置されている。ここでは、制御回路基板１２は両面テープにより第２シェル１０ｂの外面に固定されている。制御回路基板１２の第２シェル側の表面には、外部機器とのインターフェース、およびコネクタ７８を含む複数の電子部品８０、ライトプロテクトスイッチ８１が実装されている。コネクタ７８は、ＨＤＤ本体側のコネクタ７６に電気的かつ機械的に接続されている。また、制御回路基板１２の外面、つまり、第２シェル１０ｂと反対側に位置した表面の端部には、パッド状の複数の接続端子８２が形成されている。
【００２６】
図１および図２に示したように、ＨＤＤのケース１０および制御回路基板１２はカバー１４によって覆われ、全体としてカード状に形成されている。カバー１４は、それぞれ合成樹脂により矩形皿状に形成された第１および第２カバー１４ａ、１４ｂで構成されている。第１カバー１４ａはケース１０の第１シェル１０ａを覆っているとともに、第２カバー１４は、制御回路基板１２および第２シェル１０ｂを覆っている。第１および第２カバー１４ａ、１４ｂはその周縁部同士を嵌合することにより、互いに連結されている。第２カバー１４ｂには、それぞれ制御回路基板１２の接続端子８２と対向した複数の開孔８４が形成されている。これにより、接続端子８２は、開孔８４を通してカバー１４の外部に露出し、他の電子機器と接続可能となっている。
【００２７】
上記構成のＨＤＤを組立てる場合、まず、スピンドルモータ２２を第１シェル１０ａに組付けた後、磁気ディスク２０をスピンドルモータのハブに嵌合し、更に、クランプリング４４によって磁気ディスクを固定する。一方、第２シェル１０ｂにキャリッジ２６、ＶＣＭ２８、ランプロード機構３０、電磁ラッチ３２、基板ユニット３４、およびエアフィルタ３５を組み込みサブアセンブリ５２を構成する。
【００２８】
続いて、第１シェル１０ａおよび第２シェル１０ｂを位置合わせし、互いに重ねあわせる。この際、第２シェル１０ｂに立設された複数の支持ポスト１８の先端を第１シェル１０ａの対応位置に係合させる。また、固定ねじ３７によりスピンドルモータ２２の枢軸３６を第２シェル１０ｂにねじ止めするとともに、固定ねじ５６により、キャリッジ２６の軸受組立体５２における枢軸５３を第１シェル１０ａにねじ止めする。更に、他の箇所で、第１および第２シェル１０ａ、１０ｂを互いにねじ止めしてもよい。
【００２９】
次いで、第１シェル１０ａおよび第２シェル１０ｂの周縁部に外側からシール材１６を巻き付け、第１および第２シェルの周縁部同士を繋ぎ合わせるとともに、これら周縁部間の隙間を閉じる。その後、制御回路基板１２をＨＤＤの本体に接続するとともに、第１シェル１０ｂの外面に取り付ける。続いて、ケース１０および制御回路基板１２を第１および第２カバー１４ａ、１４ｂで両側から覆い、且つ、カバー同士を嵌合する。これによりＨＤＤが得られる。
【００３０】
以上のように構成されたＨＤＤによれば、ケース１０は第１および第２シェル１０ａ、１０ｂによって構成され、スピンドルモータおよび磁気ディスクは第１シェルに取り付けられ、他の構成要素は第２シェルに取り付けられサブアッセンブリを構成している。すなわち、占有面積の最も大きいスピンドルモータおよび磁気ディスクと、他の構成要素とを別々のシェルに固定し、これらのシェルを組み合せることによりＨＤＤを構成している。そのため、第１シェル１０ａ、および第２シェル１０ｂ毎に構成要素の取り付け、実装を行うことができ、ＨＤＤ全体を小形化した場合でも、各構成要素の設置スペースおよび組立作業スペースを確保することができる。従って、一層小形のＨＤＤを実現可能となる。
【００３１】
また、本実施形態において、ランプロード機構３０は、磁気ヘッド２４が磁気ディスク２０の内周部、つまり、中心部に移動した際に磁気ヘッドを磁気ディスク表面からアンロードし保持する。このような内周ランプ構造とすることにより、磁気ディスク外周部分をデータ記録領域として有効に利用することができ、ランプを磁気ディスクの外周側に設けた構成に比較して磁気ディスクの記録容量増大を図ることができる。特に、小形の磁気ディスクを用いたＨＤＤでは大きな効果が得られる。本実施形態では、ランプ部材７０は、第２シェル１０ｂに取り付けられていることから、磁気ディスク２０やスピンドルモータ２２と干渉することなく、ランプ部材を容易に設けることができる。
【００３２】
ケース１０を構成した第１および第２シェル１０ａ、１０ｂは、一方のシェルに立設された支持ポスト１８により互いに所定の隙間を置いて対向支持されている。そのため、ケース１０に外力が作用した場合でも、ケース１０および内部に収納された構成要素の損傷を防止することができる。この際、各支持ポスト１８の基端は弾性材を介してシェルに固定されているため、衝撃を吸収することができるとともに、第１および第２シェル間の寸法誤差、組立誤差を吸収することができる。更に、支持ポスト１８を用いることにより、第１および第２シェル１０ａ、１０ｂ間のねじ止め箇所を少なくし、組立性、メインテナンス性を向上することが可能となる。
【００３３】
上記のように構成されたカード状かつ携帯可能なＨＤＤ８は、種々の電子機器の記録装置として用いることができる。例えば、図６に示すように、ＨＤＤ８は携帯電話機１００の記録装置として用いることができる。携帯電話機１００は、ダイヤルキー１０２、複数の操作キー１０４、およびマイクロフォン１０５等が設けられた本体１０６と、本体にヒンジ部１０８を介して回動自在に接続された表示部１１０と、を備えている。表示部１１０には、送信情報、受信情報等を表示する表示パネル１１２、スピーカ１１４等が設けられている。表示部１１０内において、表示パネル１１２の裏側部分には、ＨＤＤ８を脱着自在に収納する収納部１１６が形成されている。そして、ＨＤＤ８は、例えば、表示部１１０の側面に形成されたスロットを介して収納部１１６に装着され、接続端子８２を介して携帯電話機１００と電気的に接続されている。これにより、記録装置としてＨＤＤ８を備えた携帯電話機が得られる。
【００３４】
ＨＤＤ８は、携帯電話機に限らず、デジタルカメラ、ビデオカメラ、パーソナルデジタルアシスタント（ＰＤＡ）等、種々の電子機器の記録装置として用いることができる。
【００３５】
上述した実施形態では、電子機器に対し脱着自在なカード状のＨＤＤについて説明したが、これに限らず、電子機器内に内蔵する据え置き型のＨＤＤとしてもよい図７に示すように、この発明の第２の実施形態に係るＨＤＤ８は、本体を構成するケース１０および制御回路基板１２を備えている。ケース１０は第１および第２シェル１０ａ、１０ｂを有し、その周縁部は帯状のシール材１６により接合および封止されている。ケース１０内には種々の構成要素が配設されている。ケース１０およびケース内の構成は前述した第１の実施形態と同一であり、その詳細な説明は省略する。
【００３６】
制御回路基板１２は、第１シェル１０ｂにねじ止めされ、第１シェルの外面と対向して配置されている。制御回路基板１２には種々の電子部品が実装されているとともに、ＨＤＤ８を外部機器と電気的に接続するためのフレキシブルプリント回路基板８６が接続されている。フレキシブルプリント回路基板８６は制御回路基板１２から外方に引き出され、その延出端には複数の接続端子８８が形成されている。なお、ケース１０および制御回路基板１２は、カバーによって覆われることなく露出している。
【００３７】
上記のように構成されたＨＤＤ８は、例えば、図６に示した携帯電話機の収納部１１６に実装され、ねじ止め等により収納部内に固定されるとともに、フレキシブルプリント回路基板８６を介して電気的に接続される。  
このように構成されたＨＤＤおよびこれを備えた電子機器においても、前述した第１の実施形態と同様の作用効果を得ることができる。
【００３８】
第２の実施形態において、制御回路基板１２は、前述したフレキシブルプリント回路基板８６に代えて、図８に示すように、制御回路基板１２上に直接インターフェースコネクタ９０を実装し、このインターフェースコネクタを介してＨＤＤを電子機器側と電気的に接続する構成としてもよい。あるいは、図９に示すように、制御回路基板１２上に直接、パッド状の複数の接続端子９２を形成し、これらの接続端子９２を介してＨＤＤを電子機器側と電気的に接続する構成としてもよい。
【００３９】
図１０および図１１に示す第３の実施形態のように、内蔵型のＨＤＤの場合、電子機器側への取り付けを補助する取り付け補助具１２０を備えていてもよい。取り付け補助具１２０は、ケース１０および制御回路基板１２の外周部に嵌合された矩形枠状の本体１２２と、本体の各角部から延出した４つのブラケット１２４とを有している。本体１２２は、ゴム、合成樹脂等の弾性材料で形成され、ケース１０および制御回路基板１２に弾性的に嵌合されている。各ブラケット１２４は例えば金属により形成されている。ブラケット１２４には透孔１２６が形成されている。各ブラケット１２４の透孔１２６には、例えば、ＨＤＤ８を電子機器の装着部に取り付けるためのねじを挿通可能となっている。
【００４０】
本体１２２の一側壁には、スリット１３０が形成されているとともに、このスリットの両側から外方へ延出した一対の保持突起１３２が一体的に形成されている。ケーブル支持部材として機能する一対の保持突起１３２は互いに平行に対向し、その対向面にはそれぞれ支持溝１３４が形成されスリット１３０まで延びている。制御回路基板１２から延出し接続ケーブルを構成したフレキシブルプリント回路基板８６は、本体１２２のスリット１３０を通して外方に引き出され、その両側縁部が保持突起１３２の支持溝１３４にそれぞれ係合している。これにより、フレキシブルプリント回路基板８６の延出端部は、保持突起１３２により所定位置に保持されている。
【００４１】
上記のような取り付け補助具１２０をＨＤＤ８に装着することにより、ＨＤＤを電子機器内の所望の位置に容易に取り付けることが可能となる。同時に、接続端子８８が設けられているフレキシブルプリント回路基板８６の延出端部は、保持突起１３２により所定位置に保持されているため、電子機器側と容易にかつ確実に電気的接続が可能となる。
【００４２】
図１２に示すこの発明の第４の実施形態に係るＨＤＤによれば、ランプロード機構３０のランプ部材７０は、磁気ディスク２０の中心部と対向して第２シェルに取り付けられている。ランプ部材７０は、サスペンション６０のタブ７２が係合可能なランプ面７４を有している。ランプ面７４は、第２シェル１０ｂの内面と隙間を置いてほぼ平行に対向した支持面７４ａと、支持面から第１シェル１０ａ側、つまり、磁気ディスク２０の表面に向かって傾斜して延びた傾斜面７４ｂとを有している。支持面７４ａは、タブ７２の移動経路に沿って、かつ、キャリッジ２６の回動中心とである枢軸５３と磁気ディスク２０の中心である枢軸３６とを結ぶ線Ｂに跨いで、この線Ｂの両側に延びている。
【００４３】
キャリッジ２６が磁気ディスク２０の外周部から磁気ディスク内周の退避位置まで回動すると、タブ７２は、ランプ部材７０の傾斜面７４ｂに係合し、その後、ランプ面の傾斜によって引き上げられ、磁気ヘッド２４のアンロード動作を行う。更に、キャリッジ２６は線Ｂを越えた退避位置まで回動される。これにより、タブ７２はランプ部材７０の支持面７４ａ上に支持され、磁気ヘッド２４は磁気ディスク２０の表面から離間した状態に保持される。
【００４４】
上記構成の第４の実施形態によれば、ランプ部材７０は、磁気ディスク２０の中心とキャリッジ２６の回動中心とを結ぶ線Ｂを境界として、磁気ヘッド２４が磁気ディスクに対して情報処理する領域Ｇの反対側で磁気ヘッドを磁気ディスクからアンロードする位置に設けられている。そのため、磁気ディスク２０の内周部分まで情報記録領域として用いることが可能となり、磁気ディスクの記録容量を一層増大することができる。第４の実施形態において、他の構成は前述した第１の実施形態と同一であり、同一の部分には同一の参照符号を付してその詳細な説明を省略した。
【００４５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４６】
例えば、第１の実施形態において、制御回路基板は第２シェルの外面と対向して設けたが、第１シェルと対向して配置してもよい。この際、制御回路基板をねじ止めによりケースに固定することもできる。また、磁気ディスクの枚数は１枚に限らず、必要に応じて増加可能である。更に、ランプロード機構のランプ部材は、磁気ディスクの外周側に配置する構成としてもよい。
【図面の簡単な説明】
【００４７】
【図１】この発明の第１の実施形態に係るＨＤＤを示す斜視図。
【図２】前記ＨＤＤの分解斜視図。
【図３】前記ＨＤＤのケースおよび内部構造を示す分解斜視図。
【図４】前記ＨＤＤの第２シェルを省略して内部構造を示す平面図。
【図５】図４の線Ａ−Ａに沿ったＨＤＤの断面図。
【図６】前記ＨＤＤを備えた携帯電話機を示す斜視図。
【図７】この発明の第２の実施形態に係るＨＤＤを示す斜視図。
【図８】前記第２の実施形態における制御回路基板の変形例を示す斜視図。
【図９】前記第２の実施形態における制御回路基板の他の変形例を示す斜視図。
【図１０】この発明の第３の実施形態に係るＨＤＤを示す斜視図。
【図１１】前記第３の実施形態に係るＨＤＤを示す分解斜視図。
【図１２】前記第４の実施形態に係るＨＤＤを示す平面図。
【符号の説明】
【００４８】
８…ＨＤＤ、  １０…ケース、  １０ａ…第１シェル、  １０ｂ…第２シェル、
１２…制御回路基板、  １４…カバー、  １８…支持ポスト、  ２０…磁気ディスク、
２２…スピンドルモータ、  ２４…磁気ヘッド、  ２６…キャリッジ、
２８…ＶＣＭ、  ３０…ランプロード機構、  ３４…基板ユニット、
７０…ランプ部材、  １２０…取り付け補助具
【図１】
2005135564.tif 000003
【図２】
2005135564.tif 000004
【図３】
2005135564.tif 000005
【図４】
2005135564.tif 000006
【図５】
2005135564.tif 000007
【図６】
2005135564.tif 000008
【図７】
2005135564.tif 000009
【図８】
2005135564.tif 000010
【図９】
2005135564.tif 000011
【図１０】
2005135564.tif 000012
【図１１】
2005135564.tif 000013
【図１２】
2005135564.tif 000014